(57)【要約】【課題】  ＤＶＤレコーダやビデオデッキなど諸々の記録再生装置で使用される電磁気情報記録媒体に、その記録内容を示す文様を、情報記録媒体の外観のみから認知できるように印刷するラベラー及びその情報記録媒体を提供すること。【解決手段】  電磁気情報記録媒体の記録再生装置において、情報記録媒体に印刷したい文様を入力する文様入力手段と、文様入力手段によって入力された文様を印刷する印刷手段と、記録再生装置内に設置された情報記録媒体の記録再生装置に対する相対設置位置を検知して、その印刷対象部位の位置を検知する印刷位置検知手段と、印刷位置検知手段によって検知された部位に、印刷手段を位置合わせする印刷位置調整手段とを設ける。【選択図】  図１
2006048834.tif 000002
【特許請求の範囲】
【請求項１】
電磁気情報の記録媒体の記録再生装置において、
その情報記録媒体に印刷したい文様を入力する文様入力手段と、
文様入力手段によって入力された文様を印刷する印刷手段と、
記録再生装置内に設置された情報記録媒体の記録再生装置に対する相対設置位置を検知して、その印刷対象部位の位置を検知する印刷位置検知手段と、
印刷位置検知手段によって検知された部位に、印刷手段を位置合わせする印刷位置調整手段とを備える
ことを特徴とするラベラー。
【請求項２】
印刷手段が、既に文様が印刷されているか否かの情報を示すヘッダー情報をも印刷し、
そのヘッダー情報を読み取って、該当部位に印刷を施すか否かを制御する印刷制御手段を有する
請求項１に記載のラベラー。
【請求項３】
請求項１または２に記載のラベラーによって印刷される情報記録媒体であって、
記録再生装置に対する相対設置位置を示すヘッダー情報が印刷されている
ことを特徴とする情報記録媒体。
【発明の詳細な説明】
【技術分野】
【０００１】
本発明は、ＤＶＤレコーダやビデオデッキやパソコンなどをはじめ、諸々の電磁気情報記録媒体の記録再生装置、並びに、その装置で使用される情報記録媒体に関する。
【背景技術】
【０００２】
従来、ＤＶＤレコーダやビデオデッキなど諸々の記録再生装置で使用される電磁気情報記録媒体に、その記録内容をメモするためには、記録終了後に装置から取り出して手書きで行わなければならなかった。
再生記録装置における録画予約時の操作や、ネット経由で入手可能な電子番組表などを用いると、限られた情報ではあるが情報記録媒体に、記録内容を入力することができる。しかし、それらはあくまでも電磁気情報として付加されるに過ぎないので、情報記録媒体の外観のみからでは、内容を認知することはできない。
【発明の開示】
【発明が解決しようとする課題】
【０００３】
そこで、本発明は、ＤＶＤレコーダやビデオデッキなど諸々の記録再生装置で使用される電磁気情報記録媒体に、その記録や再生等の操作中や事後別途に、記録内容を示す文様をラベル印刷して、情報記録媒体の外観のみから、その内容を認知できるようにするラベラー及びそれで使用される情報記録媒体を提供することを課題とする。
【課題を解決するための手段】
【０００４】
上記課題を解決するために、本発明のラベラーは、電磁気情報記録媒体の記録再生装置において、情報記録媒体に印刷したい文様を入力する文様入力手段と、文様入力手段によって入力された文様を印刷する印刷手段と、記録再生装置内に設置された情報記録媒体の記録再生装置に対する相対設置位置を検知して、その印刷対象部位の位置を検知する印刷位置検知手段と、印刷位置検知手段によって検知された部位に、印刷手段を位置合わせする印刷位置調整手段とを備えることを特徴とする。
【０００５】
ここで、印刷手段を、既に文様が印刷されているか否かの情報を示すヘッダー情報をも印刷するもので構成し、そのヘッダー情報を読み取って、該当部位に印刷を施すか否かを制御する印刷制御手段を設けてもよい。
【０００６】
また、本発明の情報記録媒体は、上記のラベラーによって印刷される情報記録媒体であって、記録再生装置に対する相対設置位置を示すヘッダー情報が印刷されていることを特徴とする。
【発明の効果】
【０００７】
本発明によると、文様入力手段によって入力した文字や記号や図形など所望の文様を、印刷位置検知手段によって検知され印刷位置調整手段で位置合わせされた情報記録媒体の部位に、印刷手段によって視認可能な状態で印刷するので、情報記録媒体の外観のみから、その内容を認知することができる。
【発明を実施するための最良の形態】
【０００８】
以下に、図面を基に本発明の実施形態を説明する。
図１は、本発明のラベラーの要部構成を概略的に示す斜視説明図、図２は、同様に別実施例を示す斜視説明図、図３は、ラベラーで使用されるディスクの平面説明図である。
【０００９】
ここでは、電磁気情報の記録媒体としてＤＶＤやＣＤ等のディスクを例示するが、ＭＤやビデオカセットなど、任意の電磁気情報記録媒体に同様に適用可能である。
また、ラベラーは、図１に示すようにＤＶＤプレイヤー等の記録再生装置の内部に配設されて、記録再生装置と一体的に構成してもよいし、また、記録再生装置に接続される形態や独立した別体で構成してもよい。
【００１０】
記録再生装置内の支持基盤（１０）には、図示しないが従来公知の記録再生用の部材が設置されている。それら記録再生部材と共に、本発明によるラベラーが配設される。
ディスク（２０）は、従来公知の記録再生用部材によって、回転軸（１１）を介して設置され回転駆動される。
【００１１】
制御部（１２）は、ディスク（２０）の径や厚みに応じて変化する支持盤（１０）に対する相対設置位置を検知し、ディスク（２０）表面の所望の印刷対象部位の位置を検知する印刷位置センサ（１３）に接続されている。
制御部（１２）は、印刷位置センサ（１３）からの入力に応じて、印刷ヘッド（１４）を移動させる。
印刷ヘッド（１４）は、制御部（１２）からの出力に応じて、ディスク（２０）の面に沿った独立２方向に、印刷位置調整手段（１５）（１６）によって移動される。
【００１２】
記録再生装置の外部にある文様入力手段によって利用者が入力した文字記号等の文様は、制御部（１２）を介して印刷ヘッド（１４）に伝えられ、ディスク（２０）に印刷される。
【００１３】
印刷ヘッド（１４）の位置を調整する手段は、図２に示すように、ディスク（２０）の回転移動を利用すると、１体の印刷位置調整手段（１７）によって済ますことが可能である。
【００１４】
印刷ヘッド（１４）で印刷する文様には、利用者が文様入力手段によって入力した文字記号等の文様の他に、既に文様が印刷されているか否かの情報を示すヘッダー情報を付加してもよい。その場合には、ディスク（２０）を走査して印刷の有無を読み取るセンサを、印刷ヘッド（１４）の近傍等に付設する。
【００１５】
ヘッダー情報としては、例えば、図３に示したように、支持基盤（１０）に対する相対設置位置を示す点等の符号（２１）や、該当部位に印刷を施すか否かを制御する印刷制御用の点等の符号（２２）が挙げられる。なお、符号（２２）の近傍には、記録内容を示す日時やタイトル等の符号（２３）が印刷される。
【産業上の利用可能性】
【００１６】
本発明のラベラー及びその情報記録媒体によると、その情報記録媒体に記録されている内容を示す文字や記号や図形などの所望文様を印刷されるので、情報記録媒体を再生することなく外観のみからその内容が認知でき、整理等の利便性が向上するので産業上有用である。
【図面の簡単な説明】
【００１７】
【図１】本発明のラベラーの要部構成を概略的に示す斜視説明図
【図２】同、別実施例の斜視説明図
【図３】ラベラーで使用されるディスクの平面説明図
【符号の説明】
【００１８】
１０  支持基盤
１１  回転軸
１２  制御部
１３  印刷位置センサ
１４  印刷ヘッド
１５〜１７  印刷位置調整手段
２０  ディスク
２１〜２３  印刷符号
【図１】
2006048834.tif 000003
【図２】
2006048834.tif 000004
【図３】
2006048834.tif 000005